(57)【要約】【課題】フラットケーブルを配線する自由度を増大し得て、しかも読取部から引き出したフラットケーブルを他のフラットケーブルとで避けた配線を行いやすくすることができる。【解決手段】本発明は、固定読取部は、軸線と直交する主走査方向に読取素子を配列した固定読取センサ５４と、固定読取センサ５４を収容するホルダ５８と、固定読取センサ５４に設けられ、読み取りデータを伝送するフラットケーブル７１の一端を接続するソケット５４Ａと、を備え、ホルダ５８は、底壁５８Ｃと、固定読取センサ５４を包囲する側壁５８Ｄと、側壁５８Ｄのうち軸線側となる側壁５８Ｄに設けられ、フラットケーブル７１の他端側を読取ユニット２０側に引き出す開口部５８Ｅと、を備える。【選択図】図１５
2014120854.tif 000002
【特許請求の範囲】
【請求項１】
本体部と、
シートの画像を読み取る読取部を収容し、前記本体部の上面を覆う位置と、上面を開放する位置とに所定の回動軸心回り回動可能に支持されたカバー部材と、
を備えた画像読取装置であって、
前記読取部は、
前記回動軸心と直交する主走査方向に読取素子を配列したセンサ部と、
前記センサ部を収容する収容部と、
前記センサ部に設けられ、読み取りデータを伝送するフラットケーブルの一端を接続する接続部と、
を備え
前記収容部は、
底壁と、
前記センサ部を包囲する側壁と、
前記側壁のうち前記回動軸心側となる側壁に設けられ、前記フラットケーブルの他端側を前記本体部側に引き出す開口部と、
を備える
ことを特徴とする画像読取装置。
【請求項２】
請求項１に記載の画像読取装置において、
前記フラットケーブルの他端側を挿通した状態で前記開口部を塞ぐスポンジ部材を備えることを特徴とする画像読取装置。
【請求項３】
請求項２に記載の画像読取装置において、
前記スポンジ部材は、前記収容部の内部において、前記センサ部を底壁から離れる方向に付勢する付勢部材を兼用していることを特徴とする画像読取装置。
【請求項４】
請求項１乃至請求項３の何れか１項に記載の画像読取装置において、
前記開口部は矩形状であり、長手方向が前記回動軸心に沿って延設され、
前記フラットケーブルは、平坦面が前記開口部の長手方向に対向する向きで開口部に挿通されることを特徴とする画像読取装置。
【請求項５】
請求項４に記載の画像読取装置において、
前記接続部は、前記センサ部における前記回動軸心寄りで、前記センサ部の主走査方向に沿って配設され、
前記接続部に接続された前記フラットケーブルは、前記接続部と開口部との間に形成される折曲部によって配線方向が変えられ、前記開口部に挿通される
ことを特徴とする画像読取装置。
【請求項６】
請求項５に記載の画像読取装置において、
前記フラットケーブルは、前記折曲部よりも開口部側において平坦面が前記収容部の底壁に接着され、
前記スポンジ部材は、前記フラットケーブルの前記平坦面と前記収容部の前記底壁との接着部分に対応する前記フラットケーブルの上面に配置される
ことを特徴とする画像読取装置。
【請求項７】
請求項５又は請求項６に記載の画像読取装置において、
前記収容部の前記底壁に、前記フラットケーブルの前記折曲部を当接させて位置決めするリブを形成した
ことを特徴とする画像読取装置。
【請求項８】
請求項３乃至請求項７の何れか１項に記載の画像読取装置において、
前記スポンジ部材から構成される前記付勢部材を、前記センサ部の主走査方向に沿って、間隔を有して複数配置した
ことを特徴とする画像読取装置。
【請求項９】
請求項１乃至請求項８の何れか１項に記載の画像読取装置において、
前記カバー部材は、前記本体部に対して第一ヒンジを介して回動可能に連結され、
前記フラットケーブルは、前記第一ヒンジに対して軸心方向の端部側で前記開口部から引き出した後に、前記第一ヒンジに沿って配線した
ことを特徴とする画像読取装置。
【請求項１０】
請求項８に記載の画像読取装置において、
前記本体部は、
前記カバー部材が前記第一ヒンジを介して連結される第一本体ユニットと、
第一本体ユニットの下方に設けられ、第一本体ユニットが前記回動軸心回りに平行な第二回動軸心回りに回動可能に支持される第二本体ユニットと、
を含み、
前記第一本体ユニットは、第二本体ユニットに対して第二ヒンジを介して回動可能に連結され、
前記第一ヒンジと前記第二ヒンジとを上下方向に重なって配置するとともに、前記第一ヒンジと前記第二ヒンジとに沿って前記フラットケーブルを配線した
ことを特徴とする画像読取装置。
【請求項１１】
請求項９に記載の画像読取装置において、
前記第一ヒンジを回動軸心側の面に２箇所配置し、
前記２箇所の第一ヒンジの間に、前記第二本体ユニットに接続する開口部を覆う開閉カバーを備える
ことを特徴とする画像読取装置。
【発明の詳細な説明】
【技術分野】
【０００１】
本発明は、所定の搬送経路に沿ってシートを搬送しつつ、そのシートの画像を読み取る画像読取装置に関する。
【背景技術】
【０００２】
従来から、シートを所定の搬送経路に沿って搬送しつつ、そのシートの画像を読取部によって読み取るように構成した画像読取装置がある（例えば、特許文献１参照）。
【０００３】
上記文献には、プラテンガラスの下側に配置される移動可能な第一イメージセンサと、自動原稿送り装置に設けられる固定の第二イメージセンサとを備え、一度の搬送で原稿の両面の画像を読み取ることが可能な画像読取装置が開示されている。
【先行技術文献】
【特許文献】
【０００４】
【特許文献１】特開２０１１−２１１４８０号公報
【発明の概要】
【発明が解決しようとする課題】
【０００５】
ところで、この種の画像読取装置では、イメージセンサが２つあるため、各イメージセンサで読み取った読み取りデータを伝送するためにフレキシブルケーブルも２本必要とする。このフレキシブルケーブルは、互いに接触することでノイズが発生し、読み取りデータに悪影響を及ぼし、結果的に画像が乱れることが知られており、配線経路を工夫する必要がある。
【０００６】
しかも、近年の画像読取装置にあっては、小型化にともない、フレキシブルケーブルの配線経路を確保することが困難となりつつあるのが実情で、ノイズの発生を抑制しつつ配線経路の確保並びに配線作業の容易化が望まれている。
【０００７】
そこで、本発明は、回転軸心側に引き出すために必要なフラットフラットケーブルの長さを短くすることができ、配線の自由度を増大させることが可能な画像読取装置を提供することを目的とする。
【課題を解決するための手段】
【０００８】
上記課題を解決するため、本発明の画像読取装置は、本体部と、シートの画像を読み取る読取部を収容し、前記本体部の上面を覆う位置と、上面を開放する位置とに所定の回動軸心回り回動可能に支持されたカバー部材と、を備えた画像読取装置であって、前記読取部は、前記回動軸心と直交する主走査方向に読取素子を配列したセンサ部と、前記センサ部を収容する収容部と、前記センサ部に設けられ、読み取りデータを伝送するフラットケーブルの一端を接続する接続部と、を備え前記収容部は、底壁と、前記センサ部を包囲する側壁と、前記側壁のうち前記回動軸心側となる側壁に設けられ、前記フラットケーブルの他端側を前記本体部側に引き出す開口部と、を備えることを特徴とする。
【０００９】
本発明の画像読取装置によれば、読取部を収容する収容部の回動軸心側となる側壁に、フラットケーブルの他端を引き出すための開口部を設けたことで、フラットケーブルを回動軸心側に無理なく引き出すことができる。これにより、読取部から引き出したフラットケーブルの他端側を配線する際の自由度を増大させることができる。また、回転軸心側に引き出すために必要なフラットフラットケーブルの長さを短くすることができる。
【００１０】
また、本発明の画像読取装置は、前記フラットケーブルの他端側を挿通した状態で前記開口部を塞ぐスポンジ部材を備えるのが望ましい。
【００１１】
この画像読取装置によれば、スポンジ部材により開口部を介して埃等が収容部に入り込むことを抑制できる。
【００１２】
さらに、本発明の画像読取装置は、前記スポンジ部材は、前記収容部の内部において、前記センサ部を底壁から離れる方向に付勢する付勢部材を兼用しているのが望ましい。
【００１３】
この画像読取装置によれば、センサ部を底壁から離すための付勢部材を別途配置する必要が無く、部品点数を削減できる。
【００１４】
また、本発明の画像読取装置は、前記開口部は矩形状であり、長手方向が前記回動軸心に沿って延設され、前記フラットケーブルは、平坦面が前記開口部の長手方向に対向する向きで開口部に挿通されることが望ましい。
【００１５】
この画像読取装置によれば、開口部から引き出されたフラットケーブルは、その平坦面がカバー部材の回動軸心と対向することになるため、本体部側への配線が行いやすい。
【００１６】
また、本発明の画像読取装置は、前記接続部は、前記センサ部における前記回動軸心寄りで、前記センサ部の主走査方向に沿って配設され、前記接続部に接続された前記フラットケーブルは、前記接続部と開口部との間に形成される折曲部によって配線方向が変えられ、前記開口部に挿通されるのが望ましい。
【００１７】
この画像読取装置によれば、開口部と接続部との間に配線されるフラットケーブルに折曲部を設けることで、互いに交差する方向にある開口部と接続部との間を無理なくフラットケーブルで配線することができる。また、折曲部を有することで、センサ部にフラットケーブルを接続する際やセンサ部を収容部に収容する際の作業を行いやすい。
【００１８】
また、本発明の画像読取装置は、前記フラットケーブルは、前記折曲部よりも開口部側において平坦面が前記収容部の底壁に接着され、前記スポンジ部材は、前記フラットケーブルの前記平坦面と前記収容部の前記底壁との接着部分に対応する前記フラットケーブルの上面に配置されることが望ましい。
【００１９】
この画像読取装置によれば、フラットケーブルを収容部の底壁に接着することで、その上面に配置されるスポンジ部材を安定させることができ、スポンジ部材のズレを防止できる。また、接着部分に開口部を介して埃等が入り込むことを抑制することができる。
【００２０】
また、本発明の画像読取装置は、前記収容部の前記底壁に、前記フラットケーブルの前記折曲部を当接させて位置決めするリブを形成することが望ましい。
【００２１】
この画像読取装置によれば、フラットケーブルを収容部に収容する作業を行いやすく、フラットケーブルの位置を安定させることができる。
【００２２】
さらに、本発明の画像読取装置は、前記スポンジ部材から構成される前記付勢部材を、前記センサ部の主走査方向に沿って、間隔を有して複数配置することが望ましい。
【００２３】
この画像読取装置によれば、センサ部をシート原稿側に向けて付勢するための付勢部材をバネによる付勢に代えて、スポンジによる付勢とすることで、衝撃を吸収する機能もスポンジに持たせることができ、カバー部材を閉じたときにセンサ部に加わる衝撃を吸収することができる。
【００２４】
さらに、本発明の画像読取装置は、前記カバー部材は、前記本体部に対して第一ヒンジを介して回動可能に連結され、前記フラットケーブルは、前記第一ヒンジに対して軸心方向の端部側で前記開口部から引き出した後に、前記第一ヒンジに沿って配線することが望ましい。
【００２５】
この画像読取装置によれば、画像読取装置の回動軸心側の面の限られたスペースに、第一ヒンジやフラットケーブルを配置することができる。
【００２６】
さらに、本発明の画像読取装置は、前記本体部は、前記カバー部材が前記第一ヒンジを介して連結される第一本体ユニットと、第一本体ユニットの下方に設けられ、第一本体ユニットが前記回動軸心回りに平行な第二回動軸心回りに回動可能に支持される第二本体ユニットと、を含み、前記第一本体ユニットは、第二本体ユニットに対して第二ヒンジを介して回動可能に連結され、前記第一ヒンジと前記第二ヒンジとを上下方向に重なって配置するとともに、前記第一ヒンジと前記第二ヒンジとに沿って前記フラットケーブルを配線することが望ましい。
【００２７】
この画像読取装置によれば、第一ヒンジと第二ヒンジとを上下方向に連続するように重ねて配置したことで、画像読取装置の回動軸心側の面の限られたスペースに２つのヒンジ及びフラットケーブルを配置することができる。
【００２８】
さらに、本発明の画像読取装置は、前記第一ヒンジを回動軸心側の面に２箇所配置し、前記２箇所の第一ヒンジの間に、前記第二本体ユニットに接続する開口部を覆う開閉カバーを備えることが望ましい。
【００２９】
この画像読取装置によれば、回動軸心側の面に、開閉カバーを備えることで、回動軸心側に他の部材を配置可能な範囲が限られるが、その限られた範囲に、各ヒンジやフラットケーブルを効率よく配置できる。また、フラットケーブルをこのような配線とすることで、本体ユニットまでのフラットケーブルの長さを短くすることができる。
【発明の効果】
【００３０】
本発明の画像読取装置は、回転軸心側に引き出すために必要なフラットフラットケーブルの長さを短くすることができ、配線の自由度を増大させることができる。
【図面の簡単な説明】
【００３１】
【図１】本発明の一実施形態に係る画像読取装置を搭載した複合機の正面側の斜視図である。
【図２】本発明の一実施形態に係る画像読取装置を搭載した複合機の背面側の斜視図である。
【図３】本発明の一実施形態に係る画像読取装置を搭載した複合機の背面図である。
【図４】本発明の一実施形態の画像読取装置を搭載した複合機のシート搬送ユニットを開放した状態を示す斜視図である。
【図５】本発明の一実施形態に係る画像読取装置におけるシート保持カバーを閉塞した状態の断面図である。
【図６】本発明の一実施形態に係る画像読取装置におけるシート保持カバーを開放した状態の断面図である。
【図７】本発明の一実施形態に係る画像読取装置におけるシート保持カバー及び延長ガイドを開放した状態の平面図である。
【図８】本発明の一実施形態に係る画像読取装置におけるシート保持カバーとＡＤＦカバーと延長排紙トレイとを開放した状態の斜視図である。
【図９】本発明の一実施形態に係る画像読取装置におけるシート搬送ユニットの要部の断面図である。
【図１０】本発明の一実施形態に係る画像読取装置におけるシート搬送ユニットとケーブル配線との関係を示す説明図である。
【図１１】本発明の一実施形態に係る画像読取装置におけるシート搬送ユニットの各種カバーを取り外した状態の斜視図である。
【図１２】本発明の一実施形態に係る画像読取装置におけるシート搬送ユニットのヒンジとフラットケーブルとの配置関係を示す斜視図である。
【図１３】本発明の一実施形態に係る画像読取装置におけるシート搬送ユニットの要部の前後方向の横断面図である。
【図１４】本発明の一実施形態に係る画像読取装置におけるシート搬送ユニットの要部の拡大斜視図である。
【図１５】本発明の一実施形態に係る画像読取装置におけるシート搬送ユニットの要部の拡大斜視図である。
【図１６】本発明の一実施形態に係る画像読取装置におけるシート搬送ユニットの要部の拡大断面図である。
【発明を実施するための形態】
【００３２】
次に、本発明の一実施形態に係る画像読取装置について、複合機に適用し、図面を参照して説明する。本実施形態において例示する画像読取装置は、画像読み取り機能（スキャン機能）に加え、その他の機能（例えば、プリント機能、コピー機能、ファクシミリ送受信機能など）を兼ね備えた複合機の一部として構成されたものである。また、以下に示す実施形態は本発明の画像読取装置における好適な具体例であり、技術的に好ましい種々の限定を付している場合もあるが、本発明の技術範囲は、特に本発明を限定する記載がない限り、これらの態様に限定されるものではない。さらに、以下に示す実施形態における構成要素は適宜、既存の構成要素等との置き換えが可能であり、かつ、他の既存の構成要素との組み合せを含む様々なバリエーションが可能である。
【００３３】
具体的には、複合機としての各種機能の組み合わせは勿論、例えば、オプション等による追加機能（例えば、給紙カセット）の搭載の有無を制限するものではない。また、シート搬送機能として許容するシート（原稿）の最大サイズ（例えば、Ａ４かＡ３か）並びに最小サイズ（例えば、はがきか名刺か）等の設定は任意である。したがって、以下に示す実施形態の記載をもって、特許請求の範囲に記載された発明の内容を限定するものではない。なお、以下の説明においては、複合機の各部について、それらの相対的な位置関係をわかりやすくするため、図中に併記した上下左右前後の各方向を利用して説明をする。また、各方向は、ユーザの立ち位置を装置の前側として規定されている。
【００３４】
［複合機の外観構成］
図１乃至図４において、複合機１は、本体ユニット１０と、本体ユニット１０の上段に配置した読取ユニット２０と、読取ユニット２０の上段に配置したシート搬送ユニット３０（シート搬送装置の一例）と、を備えている。本体ユニット１０には、画像形成ユニット（図示せず）が収容されている。
【００３５】
［本体ユニット１０の構成］
本体ユニット１０は、上下２段に配置された引き出し方式の記録紙収納カセット１１，１２と、記録収納カセット１１，１２の上方に開口されて画像形成ユニットによる画像形成処理後の記録紙を取り出すための取出口１３とを備えている。また、取出口１３の上方で本体ユニット１０の前面側に、ユーザが複合機１に対して各種指示を入力するためのスイッチ１４及びタッチパネル方式の液晶表示パネル１５を配置した操作部１６を備えている。
【００３６】
記録紙収納カセット１１，１２は、異なるサイズの記録紙（例えば、Ａ４サイズとＡ３サイズ等）の収納が可能である。また、下段の記録紙収納カセット１１は、オプション等によって増設可能に配置している場合もある。取出口１３は、画像形成処理後の記録紙の取り出しを行うための開口であるが、例えば、はがき等の手差し給紙を可能とするために、公知の給排紙口としてもよい。また、操作部１６は、液晶表示パネル１５と併用して、例えば、公知のテンキーや複合機１としての各種機能モード（スキャン機能・プリント機能・コピー機能・ファクシミリ送受信機能等）のモード選択スイッチ等のボタン方式のスイッチ類を配置してもよい。さらに、本実施の形態においては、操作部１６は、本体ユニット１０の上段としての正面カバー１７に配置している。この正面カバー１７は、読取ユニット２０の正面カバーを兼用している。したがって、正面カバー１７を読取ユニット２０の周壁２１と一体に構成し、操作部１６を読取ユニット２０に配置した構成としてもよい。
【００３７】
本体ユニット１０は、複合機１としての各種機能モードを実行するのに必要な駆動機構及びその駆動機構を制御する制御部（図示せず）を有する。この制御部は、操作部１６や本体ユニット１０に配置された駆動機構等の他、読取ユニット２０及びシート搬送ユニット３０に配設された各種駆動機構等も制御する。なお、読取ユニット２０及びシート搬送ユニット３０の駆動機構は、本体ユニット２０の制御部とインターフェース接続可能な別途の制御部により制御を行い、オプション設置やユニット交換等の利便性を確保してもよい。
【００３８】
本体ユニット１０の内部には、制御部で制御する構成として、例えば、記録紙収納カセット１１，１２に収納された記録紙を取り出して取出口１３に至る給排紙経路で搬送するための記録紙搬送機構部を駆動させる駆動モータ、その搬送経路中に配置した画像形成ユニット、さらに給排紙経路中での記録紙の搬送タイミングやジャムを検出するための各種センサ等を配置している。これらの具体的な構成や制御例は公知の技術を用いることができるため、ここでは、その詳細な説明は省略する。
【００３９】
［読取ユニット２０の構成］
読取ユニット２０は、周方向で複数の分割された周壁２１に覆われており、背面側の周壁２１の内側には、図３に示すように、本体ユニット１０の内部に挿入して本体ユニット１０に読取ユニット２０を装着するための左右一対の取付脚２２，２３を有する。読取ユニット２０は、取付脚２２，２３に設けたヒンジ２２Ａ，２３Ａにより、背面側において左右方向へと延びる軸線Ｐ１を回動中心として、本体ユニット１０に対して開閉可能な構造とされている。読取ユニット２０は、取付脚２２，２３の下端をネジ２２Ｂ，２３Ｂにより本体ユニット１０に着脱可能に固定している。また、周壁２１の背面中央には、取付脚２２，２３（後述する取付脚３３，３４）の間に位置するように開閉カバー２１Ａを設けている。この開閉カバー２１Ａは、図２に示すように、開口部２１Ｂを開放することにより、本体ユニット１０の内部への接続を可能としている。具体的には、開口部２１Ｂを開放することにより、この開口部２１Ｂから本体ユニット１０内の画像形成ユニット（図示せず）に外部から記録紙を挿入することができる。
【００４０】
読取ユニット２０を開位置へ変位させると、本体ユニット１０の上面側が開放され、詳細には図示を略すが、本体ユニット１０に内蔵された画像形成ユニット等の各部のメンテナンス作業等を実施することができる。
【００４１】
読取ユニット２０は、周壁２１によって前後左右が囲まれており、その上面には、図４に示すように、透明ガラス等からなる第一プラテン２４と、第一プラテン２４の一縁に沿う突当部材２５と、突当部材２５を挟んで第一プラテン２４とは逆側に配置された透明ガラス等からなる第二プラテン２６と、を有する。
【００４２】
第一プラテン２４は固定原稿を支持する支持面として用いられ、突当部材２５は、ユーザーが固定原稿を第一プラテン２４に支持させる際の原稿位置の位置決め用として用いられる。また、第二プラテン２６は、シート搬送ユニット３０を利用した搬送シートの画像読み取り用として用いる。第一プラテン２４は、前後左右に長く延設された矩形状であり、本装置が読み取り可能な最大の原稿サイズ（例えば、Ａ３サイズ）の原稿を支持可能とするサイズ以上を有している。なお、第一プラテン２４と第二プラテン２６とは、一体のものを用い、その上面に突当部材２５を接着等で配置してもよい。
【００４３】
第一プラテン２４及び第二プラテン２６の下方には、図５及び図６に示すように、移動読取センサ２７が移動可能に配置されている。移動読取センサ２７は、読取ユニット２０における周壁２１によって囲まれる内部空間の内面の左右方向に跨るガイドシャフト２８に沿って、図示しない移動モータの駆動により往復移動する。移動読取センサ２７は、固定原稿の画像を読み取る際には、図５に示すように、第一プラテン２４の下面側に沿って、読取ユニット２０の内部を図示左右方向（副走査方向）へ往復移動しつつ、固定原稿の画像を読み取る。また、移動読取センサ２７は、シート搬送ユニット３０により搬送されるシートの画像を読み取る際には、図６に示すように、第二プラテン２６と対向する位置に移動し、その位置においてシート搬送ユニット３０により搬送されるシートの画像を読み取る。移動読取センサ２７は上方に第一プラテン２４及び第二プラテン２６を配置することにより上向きで画像を読み取る。
【００４４】
［シート搬送ユニット３０の構成］
シート搬送ユニット３０は、外周方向で分割されたアウターパネル３１と、アウターパネル３１を外周側で保持するインナーパネル３２と、を有する。
【００４５】
アウターパネル３１は、正面アウターパネル３１Ａ、左右側面アウターパネル３１Ｂ，３１Ｃ、背面アウターパネル３１Ｄ、の４つに分割され、シート搬送ユニット３０の側面外壁部分を構成している。また、背面アウターパネル３１Ｄには、左右両端付近で外側に隆起した駆動機構カバー部３１Ｅとヒンジカバー部３１Ｆとを一体に形成している。
【００４６】
インナーパネル３２の背面側は、図３に示すように、読取ユニット２０の内部に挿入して読取ユニット２０にシート搬送ユニット３０を装着するための左右一対の取付脚３３，３４を有する。取付脚３３，３４の間には開閉カバー２１Ａが位置している。シート搬送ユニット３０は、取付脚３３，３４に設けたヒンジ３３Ａ，３４Ａにより、背面側において左右方向へと延びる軸線Ｐ２を回動中心として、読取ユニット２０に対して開閉可能に構造されている。したがって、シート搬送ユニット３０は、図１に示すように、第一プラテン２４を含む読取ユニット２０の上面を覆った状態（閉塞状態）の閉位置と、図４に示すように、第一プラテン２４を含む読取ユニット２０の上面を露出させた状態（開放状態）の開位置とに変位可能である。シート搬送ユニット３０は、閉位置となる場合、第一プラテン２４さらには第一プラテン２４に支持される読取対象のシートを覆う原稿カバー（カバー部材）として機能する。シート搬送ユニット３０は、読取ユニット２０に対して、上下動可能に取り付けられる。これは、ブック原稿等のように厚みのある原稿が第１プラテン２４にセットされる場合でも、シート搬送ユニット３０が閉じて、厚みのある原稿を上方から覆うことを可能としている。よって、取付脚３３，３４は、読取ユニット２０の取付部(図示せず)に対して、上下方向に摺動する。ネジ３３Ｂ，３４Ｂは、取付脚３３，３４の上下動を許容しつつ、読取ユニット２０の取付部から完全に抜けてしまうことを防止する抜け防止の機能を果たしている。また、取付脚３３，３４は、読取ユニット２０の取付脚２２，２３と上下方向に一致する位置に配置されている。インナーパネル３２の左右方向中央付近から左側は、各アウターパネル３１Ａ，３１Ｂ，３１Ｄによって周縁が囲まれている。インナーパネル３２の左右方向中央付近から右側はシート搬送ユニット３０の上面を覆う排紙トレイ３５を構成している。この排紙トレイ３５は、右端付近に延長排紙トレイ３６を回動可能に保持している。
【００４７】
インナーパネル３２は、図１に示すように、上面中央付近から左方にシート保持カバー３７を回動可能に保持している。シート保持カバー３７は、図５に示すように、本体左右の中央付近から左側を覆う閉塞状態と、図６及び図７に示すように、搬送シート保持面３７Ａを露出させた開放状態とすることができる。シート保持カバー３７は、本体左右の中央付近でインナーパネル３２と係合する回動軸３７Ｂを支点として回動可能としており、開放状態とすると、自動原稿送り装置（ＡＤＦ）としてのシート搬送機能を利用することができる。したがって、シート保持カバー３７は、搬送シート保持面３７Ａにシートを保持させるときには、回動軸３７Ｂ側を前下とし、自由端側を後上とした傾斜の開放状態となる。また、シート保持カバー３７を開放状態としたときには、左側面アウターパネル３１Ｂの上方に位置するアッパパネル部３８Ａを一体に形成したＡＤＦカバー３８と、シートガイド面３９と、が露出する。このシートガイド面３９には、搬送シート保持面３７Ａに載置した搬送シートの搬送方向に沿う両側縁を支持する一対のシートガイド部材４０を配置している。この一対のシートガイド部材４０は、搬送シート保持面３７Ａに載置した搬送シートを支持することでスキュー搬送を抑制するもので、例えば、図７の実線で示すように、本体ユニット１０又はシート搬送ユニット３０で予め設定された許容最大サイズ（例えば、Ａ３縦置き）の幅と、図７の鎖線で示すように、許容最小サイズ（例えば、ハガキ横置き）の幅とで相対的に接近・離間可能となっている。
【００４８】
搬送シート保持面３７ＡとＡＤＦカバー３８とは、その間に搬送シートの給紙口４１を形成している。搬送シート保持面３７Ａと排紙トレイ３５とは、その間に搬送シートの排紙口４２を形成している。
【００４９】
ＡＤＦカバー３８は、通常時は給紙口４１から排紙口４２に至るシート搬送部４３の上方を覆っており、例えば、メンテナンス時や搬送シートの紙詰まり発生時等には、図８に示すように、シート搬送部４３の上方を開放する。なお、ＡＤＦカバー３８は、その下方に位置するシート搬送部４３を開放できればよいため、回動式でなく着脱式でもよい。
【００５０】
［シート搬送部４３の全体構成］
次に、図９に基づいて、シート搬送部４３の具体的な構成を説明する。なお、以下の説明において、シートの搬送方向（太い二点鎖線参照）を基準として、搬送シートの搬送方向を下流側、その逆側を上流側として説明する。
【００５１】
シート搬送部４３は、給紙口４１の下流側に配置された給紙部４４と、給紙部４４の下流側に配置された固定読取部４５と、固定読取部４５の下流側に配置されたＵターン搬送部４６と、Ｕターン搬送部４６の下流側に配置されて排紙口４２に至る排出部４７と、を備えている。
【００５２】
［給紙部４４の構成］
給紙部４４は、搬送シート保持面３７Ａ（シートガイド面３９）にフェースアップ状態で保持（セット）されたシートを最上位のものから一枚ずつに分離しつつ、搬送方向下流側へと給紙する。給紙部４４は、給紙ローラ４８と、分離ローラ４９と、分離パッド５０と、揺動ホルダ５１と、中継ローラ５２、対向ローラ５２Ａと、を有する。
【００５３】
給紙ローラ４８は、給紙部４４における搬送方向上流側においてシートガイド面３９に沿う位置で回転駆動する。給紙ローラ４８は、公知の駆動伝達機構の給紙モータ（図示せず）の駆動力を伝達することにより、所定方向（図９において時計回り方向）、すなわち、シートを分離ローラ４９側に引き込む方向に回転駆動する。これにより、給紙ローラ４８は、搬送シート保持面３７Ａにセットしたシートを、分離ローラ４９に向けて給紙する。
【００５４】
分離ローラ４９は、給紙ローラ４８よりも搬送方向下流側において、図示しないフレームに対して回転自在に軸支されている。分離ローラ４９は、上記給紙モータの駆動にともなう動力伝達により給紙ローラ４８と同一方向に回転する。
【００５５】
分離パッド５０は、分離ローラ４９と対向する位置に配置している。分離パッド５０は、分離ローラ４９の外周面に向かって付勢バネ５３により付勢されている。これにより、分離ローラ４９は、分離パッド５０と協働し、分離ローラ４９と接している最上位のシートのみを他のシートから分離して下流側へと搬送する。
【００５６】
揺動ホルダ５１は、図示を略す軸受を介して分離ローラ４９の回転軸４９Ａに支持している。揺動ホルダ５１は、分離ローラ４９の回転軸４９Ａから搬送方向上流側へ延び、給紙ローラ４８を回転自在に軸支している。揺動ホルダ５１は、上記給紙モータからの動力伝達により分離ローラ４９の回転軸を中心に揺動する。
【００５７】
中継ローラ５２は、図示しないフレームに対して回転自在に軸支されており、駆動モータ（図示せず）の駆動によって回転駆動する。また、中継ローラ５２は、対向ローラ５２Ａと協働して、給紙部４４の搬送方向下流側において、分離後のシートを固定読取部４５に向けて搬送する。なお、中継ローラ５２、対向ローラ５２Ａは、例えば、本体ユニット１０又はシート搬送ユニット３０で予め設定された許容サイズに応じた搬送経路長によって増減することができる。
【００５８】
［固定読取部４５の構成］
固定読取部４５は、給紙部４４から搬送されたシートの画像を必要に応じて読み取る。固定読取部４５は、中継ローラ５２よりも搬送方向の下流側で、Ｕターン搬送部４６よりも上流側において直線状の経路部分に配置されている。固定読取部４５は、固定読取センサ５４と、第三プラテン５５と、第三プラテン５５を挟んで固定読取センサ５４と対向するシート押さえ部材５６と、シート押さえ部材５６を第三プラテン５５に向けて付勢する付勢バネ５７と、固定読取センサ５４及び第三プラテン５５を保持したホルダ５８と、を有する。
【００５９】
固定読取センサ５４には、密着型イメージセンサ（ＣＩＳ）を用いている。固定読取センサ５４は、画像を読み取る方向を上向きにして配置されている。固定読取センサ５４は、主走査方向（前後方向）に、Ａ３サイズの短辺に相当する長さを読み取り範囲としている。ここで、中継ローラ５２により搬送されたシートは、固定読取センサ５４の読み取り面に対向する第三プラテン５５とシート押さえ部材５６との間を通過し、シートはシート押さえ部材５６により、第三プラテン５５側に押圧されながら搬送される。固定読取部５１は、シートが両面画像である場合に、その通過するシートの裏面側の画像を読み取る。
【００６０】
［Ｕターン搬送部４６の構成］
Ｕターン搬送部４６は、メイン搬送ローラ５９、ピンチローラ６０、及びピンチローラ６１を有し、Ｕターン搬送部４６を形成している。
【００６１】
メイン搬送ローラ５９は、左側面アウターパネル３１Ｂの内側に位置する図示しないフレームに回転自在に軸支されており、上記給紙モータ又は別の駆動モータ（図示せず）の駆動によって回転駆動する。本実施の形態においては、メイン搬送ローラ５９における外周面の約左半分の範囲をＵターン搬送路４６として使用している。ピンチローラ６０はメイン搬送ローラ５９の作用領域の上流端寄り、すなわち、メイン搬送ローラ５９の上端付近でメイン搬送ローラ５９と接するように配置されている。ピンチローラ６１はメイン搬送ローラ５９の左斜め下からメイン搬送ローラ５９と接するように配置されている。また、メイン搬送ローラ５９と対向する位置には、ＡＤＦカバー３８の内面３８Ｂからメインローラ５９側に向かって突出し、搬送方向に沿う方向に延在された複数のガイドリブ３８Ｃと、左側面アウターパネル３１Ｂから内側に屈曲して延在され、メイン搬送ローラ５９の外周面に沿う形状のガイド面３１Ｇとが配置されている。したがって、ガイドリブ３８Ｃとガイド面３１Ｇとは、メイン搬送ローラ５９と間隔を空けて対向することによってＵターン搬送路６２を形成する。また、ガイドリブ３８Ｃは、ピンチローラ６０の軸６０Ａを固定している。
【００６２】
［排出部４７の構成］
排出部４７は、ピンチローラ６１よりも搬送方向の下流側でメイン搬送ローラ５９の下端付近と対向する位置から排紙口４２の近傍に至る範囲に跨るガイドパネル６３と、ガイドパネル６３と間隔を空けて対向するように排紙トレイ３５から延在されて排紙経路６４を形成するロアガイドパネル部３５Ａと、排紙ローラ６５と、排紙ローラ６５と対向するピンチローラ６６と、を有する。排紙ローラ６５は、図示しないフレームに対して回転自在に軸支されており、駆動モータ（図示せず）の駆動によって回転駆動する。ロアガイドパネル部３５Ａは、その下流側に位置する排紙トレイ３５と一体に形成されている。
【００６３】
ガイドパネル６３は、その上流端側に第二プラテン２６の上面と対向するシート押さえ部材６７と、シート押さえ部材６７を第二プラテン２６に向けて付勢する付勢バネ６８と、を配置している。また、ガイドパネル６３における第二プラテン２６よりも下流側とロアガイドパネル部３５Ａの上流端との間は突当部材２５（図４参照）が位置する。さらに、ロアガイドパネル部３５Ａを含む排紙トレイ３５の底面には、表面に第一プラテン２４との対向面には、白色シート６９を有するシートパッド７０が取り付けられている。シートパッド７０は、第一プラテン２４に支持されるシートを上方から押圧する。
【００６４】
［シート搬送作用］
これらの構成により、シート搬送部４３は、シートの下端が給紙口４１に臨むように搬送シート保持面３７Ａからシートガイド面３９に跨るようにシートをセットすると、その旨を揺動ホルダ５１に近接した位置でシートガイド３７の上面から先端が突出したシートセンサＳＷ１（図８参照）で検出する。また、搬送シート保持面３７Ａにセットされたシートが最大シートである場合には、その旨をシートセンサＳＷ１とは揺動ホルダ５１を挟んで逆側の後端付近でシートガイド３７の上面から先端が突出したシート最大センサＳＷ２（図８参照）で検出する。これらのセンサＳＷ1，ＳＷ２の検出結果に基づいて、搬送シート保持面３７Ａにセットされたシートのサイズを判断する。
【００６５】
シートセンサＳＷ１がシートのセットを検出している状態で読み取り開始操作（スキャナ機能又はコピー機能）がなされると、搬送シート保持面３７Ａにセットしたシートを給紙ローラ４８で引き入れ、そのシートの最上位に位置するシートを分離ローラ４９と分離パッド５０との協働により分離し、中継ローラ５２に向けて搬送する。
【００６６】
中継ローラ５２は、搬送されたシートを下流へと搬送し、シートが両面シートである場合には、そのシートを搬送しつつ、第三プラテン５５とシート押さえ部材５６との間を通過する際に裏面側の画像を固定読取センサ５４で読み取る。また、シートが片面シートである場合には、固定読取センサ５４は画像の読み取りを行わず、そのままＵターン搬送路６２に向けて搬送シートを搬送する。
【００６７】
Ｕターン搬送路６２では、メイン搬送ローラ５９の駆動により、ピンチローラ６０、ガイドリブ３８Ｃ、ガイド面３１Ｇ、ピンチローラ６１と協働して搬送シートを下流側へ向けて折り返すように搬送する。
【００６８】
Ｕターン搬送路６２を経由し、シート押さえ部材６７と第二プラテン２６との間を通過する際に、搬送シートの表面側の画像を移動読取センサ２７で読み取る。さらに、画像読み取り後の排出部４７では、ガイドパネル６３とロアガイドパネル部３５Ａとの間の排紙経路６４を経由し、排紙ローラ６５とピンチローラ６６とのニップ搬送により排紙口４２から排紙トレイ３５へと搬送シートを排紙する。なお、排紙口４２と排紙トレイ３５との間には高さを設定しし、排紙口４２よりも排紙トレイ３５を低くしている。
【００６９】
ところで、本実施の形態においては、図３及び図１０に示すように、シート搬送ユニット３０を読取ユニット２０に対して開閉可能に装着するための取付脚３３，３４と、読取ユニット２０を本体ユニット１０に対して開閉可能に装着するために取付脚２２，２３と、が上下方向で一致する位置に配置されている。その一方の取付脚３３と取付脚２２の側方、すなわち、開閉カバー２１Ａによって開閉される開口部２１Ｂとは反対側には、固定読取センサ５４で読み取ったイメージデータを本体ユニット１０へ伝送するためのフレキシブルケーブル７１を配線している。固定読取センサ５４には、フレキシブルケーブル７１の一端に設けられたコネクタ７２を接続するための後述するソケット５４Ａが設けられている。
【００７０】
ホルダ５８は、図９に示すように、固定読取センサ５４を収容した状態で第三プラテン５５を保持しているまた、ホルダ５８は、その両端の一部をインナーパネル３２に保持させるための係合部５８Ａと、上方に開放して固定読取センサ５４を収容する収容部５８Ｂと、を備えている。
【００７１】
ホルダ５８の収容部５８Ｂは、固定読取センサ５４が主走査方向（前後方向）に、Ａ３サイズの短辺に相当する長さを読み取り範囲としていることから、シート搬送ユニット３０の前後方向に沿って、固定読取センサ５４の長さよりも長く延びている。収容部５８Ｂは、図１０〜図１５に示すように、底壁５８Ｃと、固定読取センサ５４を包囲する側壁５８Ｄと、側壁５８Ｄのうち軸線Ｐ２側となる側壁５８Ｄに設けられてフラットケーブル７１の他端側を読取ユニット２０側に引き出す開口部５８Ｅと、を一体に有している。
【００７２】
収容部５８Ｂの内部には、固定読取センサ５４を底壁５８Ｃから離れる方向に付勢することで固定読取センサ５４を第三プラテン５５に密着させるとともにシート搬送ユニット３０の開閉操作時の衝撃を緩和する複数のスポンジ部材７３を配置している。また、このスポンジ部材７３のうちの一つは、開口部５８Ｅを収容部５８Ｂの内側から塞ぎ、塵埃（紙粉等）が開口部５８Ｅから収容部５８Ｂの内部に入り込むことを抑制している。なお、スポンジ部材７３は、固定読取センサ５４の主走査方向に沿って、間隔を有して複数配置されている。この際、スポンジ部材７３は、固定読取センサ５４の両端の他、中央に一つ以上配置するとともに、固定読取センサ５４の重量バランス等を考慮して均等に配置するのがよい。また、固定読取センサ５４を付勢する別途のバネ等を配置することなく、スポンジ部材７３を配置したことにより、部品点数を削減するとともに、例えば、取付作業時にバネが不測に延びて付勢力が換わってしまうなどの不具合を抑制することができ、取り付け作業の容易化に貢献することができる。
【００７３】
開口部５８Ｅは、フラットケーブル７１の他端（又は一端）の引き出し（又は挿入）を許容するために、他端に設けたコネクタ７４（又は一端に設けたコネクタ７２）の挿通が可能な程度の開口幅及び開口高さを有する矩形状としている。この際、開口部５８Ｅの長手方向（幅方向）が軸線Ｐ２に沿って延設している。
【００７４】
フラットケーブル７１は、平坦面が開口部５８Ｅの長手方向と一致する向きで開口部５８Ｅに挿通されている。また、固定読取センサ５４のソケット５４Ａは、軸線Ｐ２寄りで、固定読取センサ５４の主走査方向に沿って配設している。そのため、ソケット５４Ａに接続されるコネクタ７２の延設方向と、開口部５８Ｅの延設方向とが交差することになり、コネクタ７２から開口部５８Ｅまでの間、フラットケーブル７１を直線状に配線することができない。この点、本実施の形態によれば、図１６に示すように、コネクタ７２から開口部５８Ｅまでの間のフラットケーブル７１は、複数回に折り曲げて折曲部７１Ａを形成することによって配線方向を変えた状態で開口部５８Ｅから収容部５８Ｂの内部に挿通されている。また、フラットケーブル７１は、開口部５８Ｅの直近の内側に位置する底壁５８Ｃと両面テープ等の接着部材７５によって接着されている。これにより、フラットケーブル７１がホルダ５８内において固定されるため、フラットケーブル７１のコネクタ７２を固定読取センサ５４のソケット５４Ａに接続する際の作業時等に、フラットケーブル７１を引き入れてしまうことで他端側（収容部５８Ｂの外側）のフラットケーブル７１の長さが短くなることを抑制できる。この際、開口部５８Ｅを塞ぐスポンジ部材７３は、フラットケーブル７１の上方であって、接着部材７５によって底壁５８Ｃに固定されたフラットケーブル７１の部分に配置される。これにより、スポンジ部材７３は、フラットケーブル７１における固定箇所に配置されるため、スポンジ部材７３がずれることを抑制できる。
【００７５】
折曲部７１Ａは、収容部５８Ｂの内部で固定読取センサ５４の延在方向に沿わせたうえで、その延在方向とは逆方向に折り返した後に、さらに延在方向を９０度変えて折り曲げることでソケット５４Ａに接続可能としている。したがって、２回の折り返しと折り曲げとによりコネクタ７２の接続方向（上下）は適正状態を維持する。この際、底壁５８Ｃには、折曲部７１Ａの折り返し端部を突き当てて接着部材７５とは逆側の端部を位置決めするリブ５８Ｆを形成している。
【００７６】
上記の構成において、フラットケーブル７１を固定読取センサ５４に装着する際には、フラットケーブル７１の一端を開口部５８Ｅから収容部５８Ｂの内部に引き込み、折返部７１Ａの折り返し端部をリブ５８Ｆに当接させて、フラットケーブル７１の位置決めを行う。この状態で、開口部５８Ｅ寄りのフラットケーブルの下面と収容部５８Ｂの底壁５８Ｃとを接着部材７５により接着して固定する。その後、固定された状態のフラットケーブル７１の上面からスポンジ部材７３を配置する。したがって、収容部５８Ｂの内部でのフラットケーブル７１の配線作業時には、折返部７１Ａの先端部分をリブ５８Ｆに突き当て、フラットケーブル７１を位置決めした状態で、収容部５８に対して接着部材７５による接着作業を行うことができ、フラットケーブル７１の位置を安定させることができる。
【００７７】
一方、フラットケーブル７１の他端は、軸線Ｐ２側の開口部５８Ｅから軸線Ｐ２側に無理なく引き出された後に、図１２に示すように、インナーパネル３２に形成したケーブルカバー部３２Ａの内側から読取ユニット２０及び本体ユニット１０に向けて取付脚３３，２２に沿って配線される。ここで、本実施の形態においては、読取ユニット２０の背面に開口部２１Ｂを設けて、装置の背面側から本体ユニット１０内の画像形成部に向けて記録紙を挿入させることが可能である。その際、開口部２１Ｂを避ける位置にフラットケーブル７１を配線しているため、フラットケーブル７１が記録紙の挿入の邪魔となることがない。
【００７８】
さらに、フラットケーブル７１の他端は、シート搬送ユニット３０の開閉、及び上下方向の変位を許容するために、弛みを形成したうえで、本体ユニット１０の図示しない制御部等との接続ソケットに接続される。この際、ホルダ５８は、開閉操作されるシート搬送ユニット３０の背面側に開口部５８Ｅが形成され、その開口部からフラットケーブル７１の他端を軸線Ｐ２側に無理なく引き出している。したがって、開口部５８Ｅから引き出されたフラットケーブル７１は、軸線Ｐ２に対してフラットケーブル７１の平坦面が向き合う位置関係となる。このため、シート搬送ユニット３０の開閉にフラットケーブル７１が追従しやすい。また、フラットケーブル７１の平坦面がシート搬送ユニット３０、読取ユニット２０の背面と対向するように配線することができるため、配線による背面側への突出を抑制することができ、配線作業の容易性を確保することができる。その結果、本体ユニット１０（又は読取ユニット２０）に向けて配線されるケーブル全長を短くすることができる。
【００７９】
このように、本発明は、読取ユニット２０と、シートの画像を読み取る固定読取部４５を収容して読取ユニット２０の上面を覆う位置と、上面を開放する位置とに軸線Ｐ２で回動可能に支持されたシート搬送ユニット３０と、を備えたシート搬送ユニット３０であって、固定読取部４５は、軸線Ｐ２と直交する主走査方向に読取素子を配列した固定読取センサ５４と、固定読取センサ５４を収容するホルダ５８と、固定読取センサ５４に設けられ、読み取りデータを伝送するフラットケーブル７１の一端を接続するソケット５４Ａと、を備え、ホルダ５８は、底壁５８Ｃと、固定読取センサ５４を包囲する側壁５８Ｄと、側壁５８Ｄのうち軸線Ｐ２側となる側壁５８Ｄに設けられ、フラットケーブル７１の他端側を読取ユニット２０側に引き出す開口部５８Ｅと、を備える。
【００８０】
これにより、固定読取部４５を収容するホルダ５８の軸線Ｐ２側となる側壁５８Ｄに、フラットケーブル７１の他端を引き出すための開口部５８Ｅを設けたことで、フラットケーブル７１を軸線Ｐ２側に無理なく引き出すことができ、固定読取部４５から引き出したフラットケーブル７１の他端側を配線する自由度が増す。また、軸心Ｐ２側にフラットケーブル７１の他端を引き出すために必要なフラットフラットケーブル７１の長さを短くすることができる。また、移動読取センサ２７にもフラットケーブルが接続されており、このフラットケーブルも制御部に向けて配線する必要がある。この場合、図１２に示すように、例えば、移動読取センサ２７のフラットケーブル７６をフラットケーブル７１との間に前後方向にスペースを確保しつつ、取付脚３３，２２に沿って配線するようにしてもよい。また、両フラットケーブルを装置前方の制御部に向けて配線する部分についても、両フラットケーブルを上下方向にスペースを確保しつつ重ねた状態で配線することで、限られた領域に、２本のフラットケーブルを互いに干渉しないように配線することができる。
【００８１】
また、フラットケーブル７１の他端側を挿通した状態でスポンジ部材７３により開口部５８Ｅを塞いだことにより、開口部５８Ｅを介して外部から収容部５８Ｂの内部に埃等が入り込むことを抑制できる。しかも、スポンジ部材７３は、ホルダ５８の内部において、固定読取センサ５４を底壁５８Ｃから離れる方向に付勢する付勢部材を兼用しているため、固定読取センサ５４を底壁５８Ｃから離すための付勢部材を別途配置する必要を無くし、部品点数を削減することができる。
【００８２】
また、開口部５８Ｅは、手方向が軸線Ｐ２に沿う矩形状とし、フラットケーブル７１の平坦面と開口部５８Ｅとが同じ長手方向で対向するため、開口部５８Ｅから引き出されたフラットケーブル７１は、その平坦面がシート搬送ユニット３０の軸線Ｐ２と対向することになるため、読取ユニット２０へ配線を行いやすくすることができる。
【００８３】
また、固定読取センサ５４におけるソケット５４Ａを、軸線Ｐ２寄りで主走査方向に沿って配置するとともに、開口部５８Ｅからソケット５４Ａに至るフラットケーブル７１の一端に折曲部７１Ａを形成して配線方向を変えた状態で開口部５８Ｅに挿通していることから、互いに交差する方向にある開口部５８Ｅとソケット５４Ａとの間を無理なくフラットケーブル７１で配線することができる。また、折曲部７１Ａを有することで、固定読取センサ５４にフラットケーブル７１を接続する際や固定読取センサ５４をホルダ５８に収容する際の作業を行いやすくすることができる。
【００８４】
また、フラットケーブル７１は、折曲部７１Ａよりも開口部５８Ｅ側において平坦面がホルダ５８の底壁５８Ｃに接着部材７５で接着するとともに、スポンジ部材７３を接着部分に対応するフラットケーブル７１の上面に配置したことにより、スポンジ部材７３を安定させることができ、スポンジ部材７３のズレを防止できるうえ、接着部分に開口部５８Ｅを介して埃等が入り込むことを抑制することができる。
【００８５】
また、ホルダ５８の底壁５８Ｃに、フラットケーブル７１の折曲部７１Ａを当接させて位置決めするリブ５８Ｆを形成したことにより、フラットケーブル７１をホルダ５８に収容する作業を行いやすく、フラットケーブル７１の位置を安定させることができる。
【００８６】
さらに、スポンジ部材７３から構成される付勢部材を、固定読取センサ５４の主走査方向に沿って、間隔を有して複数配置したことにより、固定読取センサ５４をシート原稿側に向けて付勢するための付勢部材をバネによる付勢に代えて、スポンジ部材７３による付勢とすることで、衝撃を吸収する機能を具備させることができ、シート搬送ユニット３０を閉じたときに固定読取センサ５４に加わる衝撃を吸収することができる。
【００８７】
さらに、本発明のシート搬送ユニット３０は、読取ユニット２０に対してヒンジ３３Ａ，３４Ａを介して回動可能に連結され、フラットケーブル７１は、ヒンジ３３Ａ，３４Ａに対して軸心方向の端部側で開口部５８Ｅから引き出した後に、ヒンジ３３Ａ，３４Ａに沿って配線しているため、シート搬送ユニット３０の軸線Ｐ２側の面の限られたスペースに、ヒンジ３３Ａやフラットケーブル７１を配置することができる。
【００８８】
この際、読取ユニット２０と本体ユニット１０への取付脚３３と取付脚２２及び取付脚３４と取付脚２３とが上下方向に重ねて配置していることから、シート搬送ユニット３０の軸線Ｐ２側の面の限られたスペースに２つの取付脚３３，２２，３４，２３及びフラットケーブル７１を配置することができる。
【００８９】
また、ヒンジ３３Ａ，３４Ａ（取付脚３３，３４）を軸線Ｐ２の面に２箇所配置するとともに、その２箇所のヒンジ３３Ａ，３４Ａ（取付脚３３，３４）の間に、本体ユニットに接続する開口部２１Ｂを覆う開閉カバー２１Ａを備えることにより、軸線Ｐ２側に他の部材を配置することが可能な範囲が限られるが、その限られた範囲でありながら、ヒンジ３３Ａ，３４Ａ（取付脚３３，３４）やフラットケーブル７１を効率よく配置することができる。また、フラットケーブル７１をこのような配線とすることで、本体ユニット１０までのフラットケーブル７１の長さを短くすることができる。
【符号の説明】
【００９０】
１  複合機
１０  本体ユニット（本体部）
２０  読取ユニット（本体部・開閉カバー）
２１  周壁
２１Ａ  開閉カバー
２１Ｂ  開口部
２２  取付脚
２２Ａ  ヒンジ（第二ヒンジ）
２３  取付脚
２３Ａ  ヒンジ（第二ヒンジ）
３０  シート搬送ユニット（カバー部材）
３２  インナーパネル
３２Ａ  ケーブルカバー部
３３  取付脚
３３Ａ  ヒンジ（第一ヒンジ）
３４  取付脚
３４Ａ  ヒンジ（第一ヒンジ）
４５  固定読取部（読取部）
５４  固定読取センサ（センサ部）
５４Ａ  ソケット（接続部）
５８  ホルダ
５８Ｂ  収容部
５８Ｃ  底壁
５８Ｄ  側壁
５８Ｅ  開口部
５８Ｆ  リブ
７１  フラットケーブル
７１Ａ  折曲部
７２  コネクタ
７３  スポンジ部材
７５  接着部材
Ｐ１  軸線
Ｐ２  軸線
【図１】
2014120854.tif 000003
【図２】
2014120854.tif 000004
【図３】
2014120854.tif 000005
【図４】
2014120854.tif 000006
【図５】
2014120854.tif 000007
【図６】
2014120854.tif 000008
【図７】
2014120854.tif 000009
【図８】
2014120854.tif 000010
【図９】
2014120854.tif 000011
【図１０】
2014120854.tif 000012
【図１１】
2014120854.tif 000013
【図１２】
2014120854.tif 000014
【図１３】
2014120854.tif 000015
【図１４】
2014120854.tif 000016
【図１５】
2014120854.tif 000017
【図１６】
2014120854.tif 000018